(57)【特許請求の範囲】
【請求項１】
紙幣を取り入れるための紙幣取入口を有し、この紙幣取入口から入った前記紙幣が収納される収納部を備える紙幣収納装置に適用され、前記紙幣取入口に備えられて前記収納部における前記紙幣の収納に用いる紙幣収納用ローラーであって、
環筒状の中心体と、
この中心体の円周面に接し、前記円周面から一方向に厚みと弾性とを持たせて延設された複数の櫂体とからなり、
前記櫂体は、前記円周面との接合部における法線が前記中心体の中心を通り、
前記櫂体は、先端部へ向けて前記接合部から徐々に狭くかつ薄く形成され、前記円周面と対峙する側の対峙面が前記法線に対して垂直な面である、
ことを特徴とする紙幣収納用ローラー。
【請求項２】
繰り込もうとする前記紙幣の硬度又は材質により、硬度が調整されてなる、
ことを特徴とする請求項１に記載の紙幣収納用ローラー。
【請求項３】
請求項１又は請求項２に記載の紙幣収納用ローラーを備えた、
ことを特徴とする紙幣収納装置。
【発明の詳細な説明】
【技術分野】
【０００１】
本発明は、紙幣を収納部に収納するに際し、弾性プラスチックや金属薄板などの弾性を有する部材を組み合わせることなく、紙幣を繰り込んで収納部へ収納可能にし、持ち上げて積層可能にした紙幣収納用ローラー及び、これを備えた紙幣収納装置に関する。
【背景技術】
【０００２】
パチンコ店、ゲームセンタなどでは、遊技を楽しむためのパチンコ台やゲーム機（以下、遊技台という）を複数台並べるための設備である、いわゆる遊技機島が形成されている。この遊技機島には一般に、遊技で使用する遊技媒体（パチンコ玉やメダル）を補給・回収・研磨するための設備や遊技に具する設備である遊技媒体貸出機や紙幣搬送装置が設置されている。なお、遊技を行うためには、例えば、遊技者が遊技台の隣に設置された遊技媒体貸出機に紙幣を投入し、紙幣に見合った分だけの遊技媒体を借り受ける必要があるが、受け取られた紙幣は、紙幣搬送装置を介して遊技機島の端部に設置された紙幣収納装置に取り込まれる。この紙幣収納装置に関し、以下に述べることにする。
【０００３】
まず、従来の紙幣収納装置１００の構造に関し、図１に基づいて簡単に説明する。従来の紙幣収納装置１００は、縦型の筐体内に、紙幣搬送装置（図示省略）から送られてくる各紙幣Ｐを受け入れるとともに、下流へ向けて放出する受入部１０と、この受入部１０から放出された紙幣Ｐを１枚毎に分離して搬送する通路として設けられた搬送部２０と、搬送部２０から搬送されてくる各紙幣Ｐを積層して収納する収納部３０と、搬送部２０による各紙幣Ｐの搬送等を行うプーリやベルトを駆動させるための駆動部４０とから構成されている。図１において、ほぼ中央に位置するのが受入部１０であり、この受入部１０よりも左側に、紙幣収納装置１００の一連の制御や電力を供給する制御・電源部１０Ａが収容されている。また、搬送部２０には、受入部１０側に紙幣Ｐを１枚毎に分離する分離機構２１が備えられている。なお、図１における矢印は、紙幣Ｐの移動方向を示している。
【０００４】
収納部３０は、搬送部２０の後端側に近接させて設けられ、この近接する側に、搬送部２０から送られてきた紙幣Ｐを受け入れる紙幣取入口３１が開設されている。収納部３０の内部には、昇降自在の紙幣リフト手段３２と、一対の紙幣受け３３と、紙幣取入口３１近傍の軸に挿通されて設けられた紙幣取入ローラー３１Ａと、この紙幣取入ローラー３１Ａに並列に設けられた弾撥部材３１Ｂとが収容されている。
【０００５】
紙幣リフト手段３２は、紙幣取入口３１から収納部３０内部へ繰り込まれた紙幣Ｐが載置される水平な載置板と、この載置板と直角方向に固設された駆動板とからなる。駆動板には横長の係合溝が穿設されている。この横長の係合溝には、駆動部４０からの駆動力を伝える収納部歯車に植設されたピンが摺動可能に嵌合されている。収納部歯車は、ワンウェイクラッチにより一方向のみに回転するように制御されている。紙幣受け３３は、収納部３０の内部において、紙幣リフト手段３２の載置板が通過できる間隔を有するように左右に一対で設けられている。
【０００６】
紙幣取入ローラー３１Ａは、搬送部２０のベルトに接して、所定の方向（図１において時計回り）に回転させられる。この回転により、紙幣Ｐは一旦収納部３０内に繰り込まれた後、後端部が同じ回転によって紙幣取入ローラー３１Ａに引き寄せられ、紙幣取入ローラー３１Ａの上部に背負われるようにして保持される。これにより、紙幣取入ローラー３１Ａは、後続の紙幣Ｐを先行の紙幣Ｐの下部に繰り込むことができるようになる。
【０００７】
また、弾撥部材３１Ｂは、弾性プラスチックや金属薄板などの弾性を有する部材、例えば、ポリエステルフィルムであって、搬送部２０の後端から紙幣Ｐの進行方向に沿って収納部３０の内側へ向けて曲折させられて、紙幣取入ローラー３１Ａと並列に延設されている。これにより、弾撥部材３１Ｂはその弾性で、収納部３０に繰り込まれる紙幣Ｐの後端を上方に跳ね上げるようになる。
【０００８】
次に、従来の紙幣収納装置１００の動作を説明する。
【０００９】
受入部１０に投入された紙幣Ｐはまず、下方に放出され、筐体の下方の分離機構２１を経て１枚毎に分離され、搬送部２０に送られる。続いて、搬送部２０の通路をベルトやプーリによって略水平方向、鉛直方向と進み、収納部３０まで搬送される。紙幣Ｐは、搬送部２０の後端において、収納部３０の紙幣取入口３１に設けられた紙幣取入ローラー３１Ａに捕捉され、収納部３０内に繰り込まれる。このとき、繰り込まれた紙幣Ｐの後端は紙幣取入ローラー３１Ａの回転と、弾撥部材３１Ｂの跳ね上げとによって、上方に持ち上げられた状態で保持される。後続の紙幣Ｐは、先行の紙幣Ｐの下部に繰り込まれながら紙幣リフト手段３２の載置板上に積層されていく。
【００１０】
紙幣リフト手段３２の載置板上に紙幣Ｐが積層されて一定の枚数に達すると、積層された紙幣Ｐの自重により、その持ち上げられている状態が紙幣取入ローラー３１Ａの回転及び弾撥部材３１Ｂの跳ね上げの作用のみによって保持されなくなる。そこで、紙幣収納装置１００では、紙幣Ｐを整頓して収納するために、収納部歯車が回転し始め、植設されているピンが駆動板の係合溝内を移動することにより紙幣リフト手段３２が１回だけ上下動する。具体的には、紙幣リフト手段３２の上昇時には、載置板上の紙幣Ｐが紙幣受け３３を上方に押し開き、紙幣リフト手段３２がさらに上昇することで、紙幣受け３３が自動的に下降し、元の水平状態に復帰する。紙幣リフト手段３２の下降時には、載置板上の紙幣Ｐが紙幣受け３３上に積層されたまま整頓されて残置され、紙幣リフト手段３２のみが下降して元の位置に戻る。
【００１１】
このような従来の紙幣収納装置１００の一例を文献等により示せば、例えば、下記特許文献１に係る発明において、安価で小型、かつ、ジャム紙幣の処理を容易にして収納部での紙幣の積層に乱れを生じないようにした紙幣収納装置が提案されている。
【先行技術文献】
【特許文献】
【００１２】
【特許文献１】特許第２６７３２８６号公報
【発明の概要】
【発明が解決しようとする課題】
【００１３】
上述したように従来の紙幣収納装置１００では、紙幣取入ローラー３１Ａと弾撥部材３１Ｂとを組み合わせて、搬送部２０から収納部３０へ紙幣Ｐを収納している。しかし、弾撥部材３１Ｂは、弾性プラスチックや金属薄板などの弾性を有する部材であるため、搬送部２０の後端から紙幣Ｐの進行方向に沿って収納部３０の内側へ向けて曲折した状態が常に維持されるとは限らないという問題がある。
【００１４】
そうすると、例えば、弾撥部材３１Ｂが収納部３０の外側に向いた場合、とたんに紙幣Ｐを収納部３０へ収納することが困難になり、ひいては積層することも困難となる。これに対し、従来の紙幣収納装置１００では電源を一端落として筐体を開き、弾撥部材３１Ｂの向きを手作業で正しい姿に直すという極めて効率の悪い対応をとらざるを得なかった。
【００１５】
また、弾撥部材３１Ｂは、弾性プラスチックや金属薄板などの弾性を有する部材で構成されているため、何らかの事象で折れる、切れる、潰れる、外れる等の欠損が生じるおそれがある。欠損が生じた場合も、従来の紙幣収納装置１００では電源を一度落として筐体を開き、弾撥部材３１Ｂを新しいものに手作業で取り替えるという極めて効率の悪い対応をとらざるを得なかった。
【００１６】
本発明は、上記実情に鑑み提案されたもので、紙幣を収納部に収納するに際し、様々な問題を含む弾性プラスチックや金属薄板などの弾性を有する部材（例えば、弾撥部材３１Ｂ）を組み合わせることなく、すなわち不要にしても、紙幣を繰り込んで収納部へ収納可能にし、持ち上げて積層することを可能にした紙幣収納用ローラー及び、これを備えてメンテナンス時及び運転時において可能な限り人手を介さずに利用することができる紙幣収納装置を提供することを目的とする。
【課題を解決するための手段】
【００１７】
上記目的を達成するために、本発明は、紙幣を取り入れるための紙幣取入口を有し、この紙幣取入口から入った前記紙幣が収納される収納部を備える紙幣収納装置に適用され、前記紙幣取入口に備えられて前記収納部における前記紙幣の収納に用いる紙幣収納用ローラーであって、環筒状の中心体と、この中心体の円周面に接し、前記円周面から一方向に厚みと弾性とを持たせて延設された複数の櫂体とからなり、前記櫂体は、前記円周面との接合部における法線が前記中心体の中心を通ることを特徴とする。
【００１８】
特に、上記紙幣収納用ローラーに関し、櫂体は、先端部へ向けて接合部から徐々に狭くかつ薄く形成され、円周面と対峙する側の対峙面が法線に対して垂直な面であることを特徴とする。また、その硬度は、繰り込もうとする紙幣の硬度又は材質により調整されてなるものであることが好ましい。
【００１９】
また、本発明は、上述したような紙幣収納用ローラーを備えた紙幣収納装置である。
【発明の効果】
【００２０】
本発明は、環筒状の中心体と、この中心体の円周面に接し、円周面から一方向に厚みと弾性とを持たせて延設された複数の櫂体とから構成されている。さらに、中心体を中心に回転することにより、中心体の円周面と櫂体とで鋭角に挟まれる領域で紙幣の先端を受け入れ、受け入れた紙幣を収納部に繰り込んで収納し、収納した紙幣の後端を、中心体の円周面と対峙する側の櫂体の対峙面で持ち上げ、持ち上げた紙幣の下側に、次に受け入れる紙幣を繰り込み可能とするものである。したがって、複数の櫂体に従来の弾撥部材の機能を具備させて、様々な問題を含んでいた弾撥部材を不要にして紙幣収納装置を構成することができる。そして、弾撥部材を不要にしても、紙幣を繰り込んで収納部へ収納可能にし、持ち上げて積層することができる。
【００２１】
さらに、本発明は、櫂体が中心体の円周面に接し、円周面から一方向に厚みと弾性とを持たせて延設されていて、円周面との接合部における法線が中心体の中心を通る構成であるため、櫂体が何らかの事象で折れる、切れる、潰れる、外れる等の欠損が生じるおそれを防いで長寿命を達成することができる。しかも、櫂体の向きが変わるということもないため、手作業によって向きを正しい姿に直すといった修理等の極めて効率の悪い作業を行わないで済むようになる。
【００２２】
このほか、櫂体は、先端部へ向けて中心体との接合部から徐々に狭くかつ薄く形成され、円周面と対峙する側の対峙面が法線に対して垂直な面である構成により、長寿命を達成することができる。これにより、効率の悪い作業から解放された紙幣収納用ローラーを実現することができる。また、その硬度は、繰り込もうとする紙幣の硬度又は材質により調整されているため、国によって異なる紙幣の硬さや材質にとらわれず、効率よい紙幣の収納及び積層を実現することができる。
【００２３】
また、本発明は、上述のような紙幣収納用ローラーを備えて構成される紙幣収納装置であるため、弾発部材の不具合によって生じる問題から解放され、効率よく紙幣の収納及び積層を実現することができる。したがって、メンテナンス時及び運転時において可能な限り人手を介さずに利用することができる。
【図面の簡単な説明】
【００２４】
【図１】従来の紙幣収納装置の概略全体を説明する概略縦断面図である。
【図２】本発明に係る紙幣収納装置において、本発明に係る紙幣収納用ローラーが備えられた状態を示す要部概略縦断面図である。
【図３】本発明に係る紙幣収納用ローラー（実施例１）であって、（ａ）が正面図、（ｂ）が左側面図、（ｃ）が斜視図である。
【図４】本発明に係る紙幣収納用ローラー（実施例４）であって、（ａ）が正面図、（ｂ）が左側面図、（ｃ）が斜視図である。
【図５】本発明に係る紙幣収納用ローラーを創作するにあたり、検討したローラー（比較例）であって、（ａ）が正面図、（ｂ）が左側面図、（ｃ）が斜視図である。
【発明を実施するための形態】
【００２５】
以下、本発明に係る紙幣収納用ローラーと、これを備えた紙幣収納装置について、図面とともに説明する。なお、図１に従来例として示した紙幣収納装置と同一又は相当部分には、同一符号を付して説明を省略する。
【００２６】
まず、本発明に係る紙幣収納装置１０１の構成について、図２に基づいて説明する。
【００２７】
図２に示すように、本発明に係る紙幣収納装置１０１は、図１と対比すると、その収納部３０の紙幣取入口３１において、マイラーと称される弾性プラスチックや金属薄板などの弾性を有する部材（例えば、弾撥部材）を不要にして構成されている。すなわち、紙幣収納用ローラーとしてのパドラー１と称される部材のみによって紙幣Ｐを繰り込み、持ち上げて収納部３０へ収納可能とし、かつ、積層可能としたものである。
【００２８】
次に、紙幣収納用ローラーとしてのパドラー１の構成について説明する。
【００２９】
パドラー１は、図３，図４（図３においてパドラー１Ａ，図４においてパドラー１Ｂ）に示すように、環筒状の中心体１１と、この中心体１１の円周面１１ａに接し、この円周面１１ａとの接合部１２１から一方向に厚みを持たせて延設されている櫂体１２と、から構成されている。中心体１１及び櫂体１２は、それぞれ弾性を有する。また、櫂体１２は、中心体１１の円周面１１ａに対峙する側の対峙面１２ａと、この対峙面１２ａと反対側の外側面１２ｂを有している。櫂体１２（対峙面１２ａ）の円周面１１ａとの接合部１２１における法線は、中心体１１の中心を通る。すなわち、パドラー１は、中心体１１の中心と接合部１２１と対峙面１２ａとで挟まれる角度が９０°とされた構成である。なお、法線とは、平面曲線又は曲面上の一点を通り、その点における接線又は接平面に垂直な直線をいう。
【００３０】
また、櫂体１２は、中心体１１から複数、例えば、４本が等間隔で延設されている。なお、櫂体１２の数は３〜６本とすることが好ましい。２本以下では紙幣を受け入れ、繰り込んで持ち上げるという動作を効率よく行うことができない。７本以上では作製が煩雑になる。
【００３１】
パドラー１の弾性は、その材質である合成樹脂により達成される。具体的には、パドラー１は、ウレタン樹脂により、その硬度を６５°以上として形成されている。特に、紙幣を繰り込み、持ち上げるために必要な硬度と、紙幣に馴染ませて繰り込みの効率を向上させる柔軟性とのバランスの観点、大量の紙幣を収納する上で必要な耐久性の観点から、液状ウレタンにより、その硬度を７５〜９５°として形成することが好ましい。
【００３２】
パドラー１の好ましい硬度である７５〜９５°という範囲は、例えば、国毎に発行される紙幣の硬度や材質のバラツキに対応し、硬い紙幣に対して硬度の大きいものを用い、柔らかい紙幣に対して硬度の小さいものを用いるといった調整を可能にするものである。例えば、金券等の収納に用いる場合、その硬度や材質のバラツキに対応して調整するといったことに適用することができる。さらに例を挙げると、所謂ポリマー紙幣は、日本銀行券より硬いため、後述する実施例１のパドラー（硬度９０°）を紙幣収納装置へ適用すれば、効率よく紙幣の収納及び積層を実現することができる。パドラー１を、好ましい硬度の範囲に調整することで、紙幣とパドラー１との硬度のアンバランスによって生じる虞のある紙幣詰まり等への不安が解消される。
【００３３】
さらに、パドラー１の動作について図２を参照しつつ説明する。図２において、矢印は紙幣Ｐの移動方向を示している。
【００３４】
パドラー１は、櫂体１２の対峙面１２ａが先行し、対峙面１２ａと反対側の外側面１２ｂが後続する方向であって、図２において時計回りに回転するように、紙幣取入口３１に設けられた軸に環筒状の中心体１１の孔が挿通されて、紙幣収納装置１０１の収納部３０の紙幣取入口３１に備えられている。
【００３５】
紙幣が搬送部２０の後端まで搬送されると、パドラー１は、中心体１１を中心に回転することにより、紙幣の先端部を補足して収納部３０内へ繰り込む。具体的には、中心体１１の円周面１１ａと櫂体１２とで鋭角に挟まれる領域で紙幣の先端部を受け入れ、収納部３０内へ繰り込むのである。続いて、パドラー１が中心体１１を中心に回転し続けることにより繰り込まれて、収納部３０内にある紙幣の後端部を、櫂体１２の対峙面１２ａで絶えず跳ね上げ、持ち上げた状態で維持する。さらに、パドラー１が中心体１１を中心に回転し続ければ、次に搬送部２０の後端まで搬送されてきた後続の紙幣の先端部を、上述のように中心体１１の円周面１１ａと櫂体１２とで鋭角に挟まれる領域で受け入れ、収納部３０内において持ち上げた状態に維持した紙幣の下側に繰り込んで収納するようになる。
【００３６】
このように、パドラー１には、４本の櫂体１２によって繰り込まれて、収納部３０内に収納された紙幣の後端部を櫂体１２の対峙面１２ａで跳ね上げ、持ち上げた状態で維持するという弾撥部材（弾性プラスチックや金属薄板などの弾性を有する部材）の機能が具備されている。そして、このようなパドラー１が備えられた紙幣収納装置１０１は、紙幣リフト手段３２等の動作により従来と同様、収納部３０内の紙幣は積層されたまま整頓されて収納される。したがって、紙幣を効率よく収納及び積層することができる。
【実施例】
【００３７】
（実施例１）
パドラー１Ａは、図３に示すように、環筒状の中心体１１と、この中心体１１の円周面１１ａに接し、この円周面１１ａから一方向に厚みを持たせて等間隔で延設されている４本の櫂体１２とから、液体ウレタンにより弾性を備えて構成されている。その硬度は９０°である。また、櫂体１２は、中心体１１の円周面１１ａと対峙する側の対峙面１２ａと、この対峙面１２ａと反対側の外側面１２ｂとによって形成されている。対峙面１２ａは、円周面１１ａとの接合部１２１における法線が中心体の中心を通る構成となっている。
【００３８】
実施例１に係るパドラー１Ａは、特に、櫂体１２の先端部１２２が面取りされたアール状に形成され、この先端部１２２へ向けて中心体１１との接合部１２１から徐々に狭くかつ薄くなるように形成されている。例えば、櫂体１２は、先端部１２２が接合部１２１の約５５〜６５％程度の幅とされ、約６０〜７０％の厚みとされる。
【００３９】
（実施例２）
図示を省略した実施例２に係るパドラーは、実施例１に係るパドラー１Ａと比べ、その硬度を８０°とした点で相違し、その他の形状、材質、寸法を同一としたものである。
【００４０】
（実施例３）
図示を省略した実施例３に係るパドラーは、実施例１に係るパドラー１Ａと比べ、ウレタン樹脂で形成し、その硬度を６５°とした点で相違し、その他の形状、寸法を同一としたものである。
【００４１】
（実施例４）
パドラー１Ｂは、図４に示すように、環筒状の中心体１１と、この中心体１１の円周面１１ａに接し、この円周面１１ａから一方向に厚みを持たせて等間隔で延設されている４本の櫂体１２とから、ウレタン樹脂により弾性を備えて構成されている。その硬度は６５°である。また、櫂体１２は、対峙面１２ａと、この対峙面１２ａと反対側の外側面１２ｂとが形成され、これら対峙面１２ａ及び外側面１２ｂの円周面１１ａとの接合部１２１における法線が中心体１１の中心を通る構成である。
【００４２】
実施例４に係るパドラー１Ｂは、実施例１に係るパドラー１Ａと比べ、櫂体１２の先端部１２２が面取りされたアール状に形成される点が同一であるものの、この先端部１２２へ向けて中心体１１との接合部１２１から徐々に狭くかつ薄く形成されていない点で相違する。また、その材質や硬度の点においても相違する。
【００４３】
（実施例５）
図示を省略した実施例５に係るパドラーは、実施例４に係るパドラー１Ｂと比べ、その櫂体１２の長さが２．０ｍｍ長い点で相違し、その他の形状、材質を同一としたものである。
【００４４】
（実施例６）
図示を省略した実施例６に係るパドラーは、実施例４に係るパドラー１Ｂと比べ、その櫂体１２の長さが１．０ｍｍ短い点で相違し、その他の形状、材質を同一としたものである。
【００４５】
（比較例）
比較例に係るパドラーＣは、図５に示すように、環筒状の中心体１１と、この中心体１１の円周面から直線放射状に等間隔で延設されている４本の櫂体１２とから、ウレタン樹脂により弾性を備えて構成されている。その硬度は６５°である。
【００４６】
上述した実施例１〜６及び比較例を用い、実施例１〜６及び比較例のパドラーを備える紙幣収納装置を構成し、パドラーが紙幣を受け入れ、繰り込み、持ち上げて、収納部に積層して収納できる枚数（耐久性）に関して確認試験を実施した。その結果を、下記［表１］に示す。なお、用いた紙幣は日本銀行券であり、耐久性は、最高１００万枚まで連続して収納できるか否かを調べた。
【００４７】
【表１】
0005696946.tif 000002
【００４８】
上記［表１］から、以下のことが理解される。
【００４９】
実施例１〜６と比較例との比較から、弾撥部材等の弾性プラスチックや金属薄板などの弾性を有する部材を不要にして紙幣収納装置を構成するためには、パドラーの形状を、環筒状の中心体と、この中心体の円周面に接し、円周面から一方向に厚みと弾性とを持たせて延設された櫂体とから構成される必要があるものと理解される。特に、櫂体は、円周面との接合部における法線が中心体の中心を通る構成である必要がある。
【００５０】
また、実施例１〜３と実施例４〜６との比較から、パドラーの櫂体を折ることなく、数多くの枚数の紙幣を収納するには、櫂体の形状を、先端部へ向けて中心体との接合部から徐々に薄く形成することが好ましいものと理解される。
【００５１】
さらに、実施例１〜２と実施例３との比較から、耐久性を高めるためには、硬度を６５°よりも高く、好ましくは７５〜９５°（より好ましくは８０〜９０°）程度まで高めることが好ましいものと理解される。
【００５２】
加えて、実施例４〜６の比較から、櫂体の長さに関し、長すぎれば折れやすく、短すぎれば持ち上げ損ねる事象が発生する虞があるため、適切な長さとする必要があるものと理解される。上述した確認試験では、櫂体長さが長いほど紙幣を持ち上げる能力が高まるものの、櫂体長さが長いと紙幣へ衝突する際の応力が強くなり、折れやすくなって耐久性が低下する事象が発生した。よって、櫂体の形状を先端部へ向けて中心体との接合部から徐々に狭くかつ薄く形成する等して工夫しつつ、耐久性を損ねない程度に長くした形状が有効であって、実施例１〜３の形状とすることが好ましいとの判断に至った。
【００５３】
また、実施例１と実施例２の比較から、繰り込み、持ち上げて、収納部に積層して収納する紙幣の硬さや材質に対応し、硬さを調整する等してフィット感が得られるものにすることが望ましいものと理解される。
【００５４】
ゆえに、本発明に係る紙幣収納用ローラーとしてのパドラーは、環筒状の中心体と、この中心体の円周面との接合部における法線が中心体の中心を通り、円周面から一方向に厚みを持たせて延設されている複数の櫂体と、から弾性を備えさせて構成しているため、様々な問題を含んでいた弾撥部材を不要にしても、中心体を中心に回転することにより、中心体の円周面と櫂体とで鋭角に挟まれる領域で紙幣の先端を受け入れ、受け入れた紙幣を収納部に繰り込んで収納し、収納した紙幣の後端を、中心体の円周面と対峙する櫂体の対峙面で持ち上げ、持ち上げた紙幣の下側に、次に受け入れる紙幣を連続して繰り込み可能とすることができる。しかも、櫂体の向きが変わるということもないため、手作業によって向きを直すといった修理等の極めて効率の悪い作業を行わないで済むようになる。
【００５５】
さらに、櫂体の形状を先端部へ向けて中心体との接合部から徐々に狭くかつ薄くなるように形成し、その対峙面を法線に対して垂直な面とする構成により、櫂体が何らかの事象で折れる、切れる、潰れる、外れる等の欠損が生じるおそれを防いで長寿命を達成することができる。また、その硬度は、繰り込もうとする紙幣の硬度又は材質により調整すれば、国によって異なる紙幣又は収納する金券の硬さや材質にとらわれず、効率よく紙幣もしくは金券の収納及び積層を実現することができる。
【００５６】
そして、上述のようなパドラーを備えて紙幣収納装置を構成すれば、弾発部材の不具合によって生じる問題から解放されて、メンテナンス時及び運転時において可能な限り人手を介さずに利用する紙幣収納装置が達成される。
【００５７】
以上、本発明のいくつかの実施形態を例示して詳述したが、本発明は上記実施形態に限定されるものではない。そして本発明は、特許請求の範囲に記載された事項を逸脱することがなければ、種々の設計変更を行うことが可能である。
【００５８】
例えば、本発明に係る紙幣収納用ローラーの適用例に関し、遊技機島の端部に設置された紙幣収納装置を取り上げて例示したが、紙幣を取り入れるための紙幣取入口を有し、この紙幣取入口から入った紙幣が積層されて収納される収納部を備える紙幣収納装置である限り、適用することができるものである。その他、本発明に係る紙幣収納用ローラーの材質、形成手段についても、求められる耐久性に鑑みて調整すれば、種々の設計変更を行うことが可能である。なお、各種の構成部品に関し、特許請求の範囲に記載された事項を逸脱することがなければ、種々の設計変更を行うことができる。すなわち、公知の手段により置換することができるものであれば置換してもよい。
【符号の説明】
【００５９】
１０１・紙幣収納装置（本発明）
１・・・パドラー（本発明：紙幣収納用ローラー）
１Ａ・・パドラー（本発明：紙幣収納用ローラー）
１Ｂ・・パドラー（本発明：紙幣収納用ローラー）
Ｃ・・・パドラー（比較例）
１１・・中心体
１１ａ・円周面
１２・・櫂体
１２ａ・対峙面
１２ｂ・外側面
１２１・接合部
１２２・先端部
１０・・受入部
１０Ａ・制御・電源部
２０・・搬送部
２１・・分離機構
３０・・収納部
３１・・収納部取入口
３１Ａ・紙幣取入ローラー（従来）
３１Ｂ・弾撥部材（従来：マイラー）
３２・・紙幣リフト手段
３３・・紙幣受け
４０・・駆動部
１００・紙幣収納装置（従来）
Ｐ・・・紙幣
【図１】
0005696946.tif 000003
【図２】
0005696946.tif 000004
【図３】
0005696946.tif 000005
【図４】
0005696946.tif 000006
【図５】
0005696946.tif 000007